(57)【要約】      （修正有）【課題】簡易な構成であるとともにコンクリート打設時の作業員の負担を軽減して作業の効率化を図ることができるディストリビュータに関する技術を提供する。【解決手段】入口部がコンクリート供給手段２００に接続され、コンクリート供給手段から供給されるコンクリートが流通する第一のコンクリート配管６と、第一のコンクリート配管を介して供給されるコンクリートが流通し、出口部に構築する構造物１００にコンクリートを吐出する吐出口が略下向きに形成されている第二のコンクリート配管１と、前記構築する構造物の上部に中心軸が略垂直になるように配置され、前記第一のコンクリート配管の出口部を下部に、前記第二のコンクリート配管１の入口部を上部に、前記中心軸を基準に回動自在に接続して、前記第二のコンクリート配管１の吐出口８が前記中心軸を基準に回動するコンクリート配管継手手段４とを備えたディストリビュータである。【選択図】図１
2007217906.tif 000002
【特許請求の範囲】
【請求項１】
入口部がコンクリート供給手段に接続され、該コンクリート供給手段から供給されるコンクリートが流通する第一のコンクリート配管と、
前記第一のコンクリート配管を介して供給されるコンクリートが流通し、出口部に構築する構造物にコンクリートを吐出する吐出口が略下向きに形成されている第二のコンクリート配管と、
前記構築する構造物の上部に中心軸が略垂直になるように配置され、前記第一のコンクリート配管の出口部と前記第二のコンクリート配管の入口部とを前記中心軸を基準に回動自在に接続して、前記第二のコンクリート配管の吐出口が前記中心軸を基準に回動するコンクリート配管継手手段と、を備えることを特徴とするディストリビュータ。
【請求項２】
前記第二のコンクリート配管は、該第二のコンクリート配管の入口部から前記吐出口までの水平長さを調整する調整手段を有することを特徴とする請求項１に記載のディストリビュータ。
【請求項３】
前記コンクリート配管継手手段は、前記構築する構造物の上部中央付近に配置されることを特徴とする請求項１又は請求項２に記載のディストリビュータ。
【請求項４】
前記コンクリート配管継手手段、前記第一のコンクリート配管、及び前記第二のコンクリート配管が設置される架台を更に備え、
前記架台は、支柱部と、前記支柱部の下端に接続されたベース部と、を有することを特徴とする請求項１から請求項３のいずれかに記載のディストリビュータ。
【発明の詳細な説明】
【技術分野】
【０００１】
本発明は、コンクリート構造物を構築する場合のコンクリート打設に用いられるディストリビュータに関する。
【背景技術】
【０００２】
コンクリート構造物、例えば橋脚やビル建物等、比較的背の高いコンクリート構造物を構築する場合、コンクリート配管をコンクリート打設高さまで接続し、ポンプによりコンクリートを圧送して打設することが行われている。また、旋回可能なブームと走行機構を備えるディストリビュータが知られている（例えば、特許文献１参照）。このようなディストリビュータによれば、高所位置のコンクリート打設を効率よく行うことができる。
【特許文献１】特開平１１−３１１０２５号公報
【発明の開示】
【発明が解決しようとする課題】
【０００３】
コンクリート配管を所定位置まで接続し、ポンプによりコンクリートを圧送する技術によれば、簡易な構成で橋脚等のコンクリート構造物のコンクリート打設を行うことができる。しかし、打設時における配管の移動は作業員に大きな負担をかけ、コンクリート打設作業の効率の低下を招く。また、打設効率が低下することによって、コンクリートの品質低下も懸念されている。一方、旋回可能なブームと走行機構を備えるディストリビュータは、高所位置のコンクリート打設を効率よく行うことができる。しかし、装置自体の価格が高いことが懸念されるとともに、このような大型装置を設置することで作業スペースが制限されることになる。すなわち、予算や作業スペースの制限により、このようなディストリビュータを使用することができないことも多い。したがって、簡易な構成であるとともに効率よくコンクリート打設作業が行うことができるディストリビュータの開発が望まれていた。
【０００４】
本発明は、上記問題に鑑みてなされたものであり、簡易な構成であるとともにコンクリート打設時の作業員の負担を軽減して作業の効率化を図ることができるディストリビュータを提供することを課題とする。
【課題を解決するための手段】
【０００５】
本発明では、上記の課題を解決するため、以下の手段を採用した。すなわち、入口部がコンクリート供給手段に接続され、該コンクリート供給手段から供給されるコンクリートが流通する第一のコンクリート配管と、前記第一のコンクリート配管を介して供給されるコンクリートが流通し、出口部に構築する構造物にコンクリートを吐出する吐出口が略下向きに形成されている第二のコンクリート配管と、前記構築する構造物の上部に中心軸が略垂直になるように配置され、前記第一のコンクリート配管の出口部と前記第二のコンクリート配管の入口部とを前記中心軸を基準に回動自在に接続して、前記第二のコンクリート配管の吐出口が前記中心軸を基準に回動するコンクリート配管継手手段と、を備えることを特徴とするディストリビュータである。
【０００６】
本発明に係るディストリビュータは、コンクリート配管を接続するコンクリート配管継手手段と第一及び第二のコンクリート配管とにより構成される。したがって、本発明に係るディストリビュータは、非常に簡易な構成である。また、上記のようなコンクリート配管継手手段及び第二のコンクリート配管を備えることで、コンクリート配管継手手段の中心軸から所定の距離に位置する部分にコンクリートを打設することができる。すなわち、コンクリート配管継手手段の配置位置を基準に吐出口を回転させるだけで、その周囲のコ
ンクリートを打設することができる。したがって、作業員はコンクリート配管を移動することなくコンクリートを打設することができる。その結果、作業の効率化を図ることができる。
【０００７】
コンクリート配管継手手段は、中心軸を基準に第一のコンクリート配管の出口部と第二のコンクリート配管の入口部とを回動自在に接続する。回動自在に接続するとは、中心軸を基準として相対的に回動自在に接続することを意味する。そして、本発明においては中心軸が略垂直になるようにコンクリート配管継手手段が配置されている。したがって、コンクリート配管継手手段と接続する第一のコンクリート配管の出口部及び第二のコンクリート配管の入口部は、垂直に形成されている垂直部を有することが好ましい。
【０００８】
また、コンクリート配管継手手段は、構築する構造物の上部に配置される。構築する構造物とは、本発明に係るディストリビュータを用いてコンクリートを打設するコンクリート構造物を意味する。そして、構築する構造物には、橋脚やビル建築物等の比較的背の高い構造物が例示できる。また、構築する構造物の上部とは、構築時の構造物の最上部を意味する。なお、例えば橋脚を構築する場合、橋脚は、地盤から上向きに複数回に分けてコンクリートを打設する。すなわち、第一段目の型枠組み立て完了後、第一段目のコンクリートを打設する。そして、第一段目のコンクリートが硬化した後、第一段目の上に第二段目の型枠を組み立て、第二段目のコンクリートを打設する。本発明に係るディストリビュータによれば、最上部にコンクリート配管継手手段を設置し、第二のコンクリート配管の鉛直方向の長さを調整するだけで各段にコンクリートを打設することができる。すなわち、コンクリート配管継手手段等、本発明にかかるディストリビュータを構成する殆どの装置を移動したりすることとなく各段のコンクリートを打設することができる。なお、入口部と出口部はコンクリート配管内を流通するコンクリートの流通方向により区別されるものである。すなわち、第一のコンクリート配管においてはコンクリート供給装置側の端部が入口部であり、コンクリート配管継手手段側の端部が出口部である。一方、第二のコンクリート配管においてはコンクリート配管継手手段側の端部が入口部であり、吐出口が形成されている側が出口部である。
【０００９】
第一及び第二のコンクリート配管は、フレッシュコンクリート（以下、コンクリートと称する）を供給するものであり、材質等は特に限定されない。形状も特に限定されるものではないが、円筒形であることが好ましい。そして、第一及び第二のコンクリート配管は、直線状のコンクリート配管、エルボ状のコンクリート配管により構成することができる。また、フレキシブルホースにより構成してもよい。
【００１０】
第一のコンクリート配管は、入口部がコンクリート供給手段に接続される。そして、第一のコンクリート配管は、出口部がコンクリート配管継手手段に接続される。コンクリート配管継手手段の上部又は下部のいずれに接続してもよいが、下部に接続することで効率のよい配管構造とすることができる。第一のコンクリート配管は、コンクリート供給手段から供給されるコンクリートをコンクリート配管継手手段まで供給する。このように、第一のコンクリート配管は、コンクリート供給手段から供給されるコンクリートをコンクリート配管継手手段が配置される構造物の上部まで接続する必要がある。コンクリート配管継手手段が配置される所定の高さまでの垂直部分は、直線状のコンクリート配管を垂直に繋ぎ合わせて形成することができる。また、地上から垂直部分への角部や垂直部分から構造物の上部平面への角部は、エルボ状のコンクリート配管を用いて形成することができる。なお、上述したようにコンクリート配管継手手段と接続する第一のコンクリート配管の出口部は、垂直に形成されている垂直部を有することが好ましい。
【００１１】
第二のコンクリート配管は、入口部がコンクリート配管継手手段に接続されている。コンクリート配管継手手段の上部又は下部のいずれに接続してもよい。但し、第一のコンク
リート配管の出口部は、コンクリート配管継手手段の下部に接続することで効率のよい配管構造とすることができる。したがって、第二のコンクリート配管の入口部は、これに合わせてコンクリート配管継手手段の上部に接続することが好ましい。第二のコンクリート配管は、出口部に構築する構造物にコンクリートを吐出する吐出口が略下向きに形成されている。したがって、第二のコンクリート配管は、第一のコンクリート配管から供給されたコンクリートをコンクリート打設位置まで供給する。例えば、コンクリート配管継手手段の上部にエルボ状のコンクリート配管の一端を接続し、エルボ状のコンクリート配管の他端に所定の長さの直線状のコンクリート配管を接続する。そして、直線状のコンクリート配管の先端にエルボ状のコンクリート配管を吐出口が下向きになるように接続する。なお、コンクリート配管継手手段により、第二のコンクリート配管の吐出口は、コンクリート配管継手手段の中心軸を基準に回転することができる。その結果、コンクリート配管継手手段の周囲、すなわちコンクリート配管継手手段の周囲３６０度を第二のコンクリート配管の吐出口をコンクリート配管継手手段の中心軸を基準に回転させるだけでコンクリートを打設することができる。
【００１２】
なお、コンクリート配管継手手段の上部に第一のコンクリート配管の出口部を接続する場合には例えば以下のように構成する。すなわち、第一のコンクリート配管の最高位置をコンクリート配管継手手段よりも高くなるように接続する。そして、第一のコンクリート配管の出口部を下向きになるようにして、コンクリート配管継手手段の上部と接続する。この際、コンクリート配管継手手段は、上部より吊り下げる構成とすればよい。コンクリート配管継手手段の上部からの吊り下げは、例えば構造物の上部にコンクリート配管継手手段吊下げ用の枠組を形成すればよい。これにより、前記枠組からコンクリート配管継手手段を吊り下げることが可能となる。その結果、コンクリート配管継手手段の上部に第一のコンクリート配管の出口部を接続することが可能となる。コンクリート配管継手手段の下部には、第二のコンクリート配管の入口部を接続する。なお、第二のコンクリート配管の吐出口は、上記同様下向きに形成する。これにより、コンクリート配管継手手段の周囲３６０度を第二のコンクリート配管の吐出口をコンクリート配管継手手段の中心軸を基準に回転させるだけでコンクリートを打設することができる。
【００１３】
また、本発明において、前記第二のコンクリート配管は、該第二のコンクリート配管の入口部から前記吐出口までの水平長さを調整する調整手段を有することとしてもよい。
【００１４】
調整手段を有することで、コンクリート配管継手手段の中心軸からコンクリートを打設する位置までの水平長さを調整することができる。したがって、コンクリート配管継手手段が配置される構造物の上部において、コンクリートを吐出させる吐出口を容易にかつ自由に移動させることができる。その結果、効率よくコンクリート打設作業を行うことができる。また、型枠の角部等必要な場所に的確にコンクリートを打設することができ、コンクリート構造物の品質を向上させることもできる。
【００１５】
また、本発明において、前記コンクリート配管継手手段は、前記構築する構造物の上部中央付近に配置されることとしてもよい。構築する構造物の上部中央付近に配置することで、最も効率よくコンクリート打設作業を行うことができる。中央付近とは、例えば構造物上部平面が略円形である場合には、円の中心を意味する。また、例えば構造物上部平面が略矩形である場合には、対角線交点を意味する。
【００１６】
また、本発明に係るディストリビュータは、前記コンクリート配管継手手段、前記第一のコンクリート配管、及び前記第二のコンクリート配管が設置される架台を更に備え、前記架台は、支柱部と、前記支柱部の下端に接続されたベース部と、を有することとしてもよい。
【００１７】
上記のような架台を備えることで、コンクリート配管継手手段、第一のコンクリート配管、及び第二のコンクリート配管を構造物の上部において安定的に支持することができる。なお、架台には、例えばＨ鋼材を用いることができる。また、第一及び第二のコンクリート配管やコンクリート配管継手手段の架台への設置は、接続金具や溶接により接続することができる。
【発明の効果】
【００１８】
本発明に係るディストリビュータは、簡易な構成であるとともにコンクリート打設時の作業員の負担を軽減して作業の効率化を図ることができる。その結果、コンクリートの品質を向上させることもできる。
【発明を実施するための最良の形態】
【００１９】
次に、本発明に係るディストリビュータの実施形態について図面に基づいて説明する。
【実施例】
【００２０】
（構成）
図１は、第１の実施形態に係るディストリビュータ３０を示す側面図である。図１に示すように、第１の実施形態に係るディストリビュータ３０は、本発明の第一のコンクリート配管に相当するコンクリート配管６と、コンクリート配管継手４と、本発明の第二のコンクリート配管に相当する第二のコンクリート配管１と、支柱７ａと支柱７ａの下端に接続された十字状のベース部７ｂにより構成される架台７と、により構成されている。そして、コンクリート配管６とコンクリート配管１は、コンクリート配管継手４により、コンクリート配管継手４の中心軸を基準に回動自在に接続されている。また、第１の実施形態に係るディストリビュータ３０は、コンクリート配管保持部３を有している。そして、コンクリート配管保持部３は、架台７に接続され、コンクリート配管１を中心軸を基準として回動自在に保持している。また、架台７は、構築する構造物１００の上部平面中央付近に配置されている。なお、本実施形態における構造物１００は、中空橋脚である。そして、符号２１は、構造物１００を構成するＨ鋼材であり、符号２２は、構造物１００を構築する際に用いる型枠を示す。
【００２１】
コンクリート配管６は、地上に配置されたコンクリート供給装置２００に入口部が接続され、出口部はコンクリート配管継手４の下部に接続されている。その結果、コンクリート供給装置２００から圧送されたコンクリートは、コンクリート配管６内を流通して、コンクリート配管継手４まで供給される。より詳細には、まず、コンクリート供給装置２００にエルボ状のコンクリート配管６ａが接続されている。エルボ状のコンクリート配管６ａは、垂直に配置された直線状のコンクリート配管６ｂに接続されている。直線状のコンクリート配管６ｂの上端は、エルボ状のコンクリート配管６ｃの一端に接続されている。エルボ状のコンクリート配管６ｃ他端は、水平に配置された直線状のコンクリート配管６ｄの一端に接続されている。直線状のコンクリート配管６ｄの他端は、エルボ状のコンクリート配管６ｅの一端に接続されている。エルボ状のコンクリート配管６ｅの他端、すなわちコンクリート配管６の出口部は、コンクリート配管継手４の下部に接続されている。なお、直線状のコンクリート配管６ｄは、架台７のベース部７ｂ上に沿って配置されている。
【００２２】
コンクリート配管１は、コンクリート配管継手４の上部に入口部が接続され、出口部は下向きに形成された吐出口となっている。すなわち、第一のコンクリート配管６から供給されたコンクリートは、第二のコンクリート配管１を流通してコンクリート打設位置まで供給される。詳細には、コンクリート配管継手４の上部は、エルボ状のコンクリート配管１ａの一端に接続されている。エルボ状のコンクリート配管１ａの他端は、水平に配置された所定の長さの直線状のコンクリート配管１ｂの一端に接続されている。直線状のコン
クリート配管６ｂの他端は、エルボ状のコンクリート配管１ｃの一端に接続されている。エルボ状のコンクリート配管１ｃ他端は、垂直に配置された直線状のコンクリート配管１ｄの一端に接続されている。直線状のコンクリート配管１ｄの他端、すなわちコンクリート配管１の出口部は下向きに形成された吐出口となっている。
【００２３】
上述したコンクリート配管６及びコンクリート配管１を構成する直線状のコンクリート配管６ｂ、６ｄ、１ｂ、１ｄの長さを適宜変更することで、構造物１００に適したディストリビュータとすることができる。特に直線状のコンクリート配管１ｂの長さを変更することで、コンクリート配管継手４の中心軸、すなわち構造物１００のの上部平面中心から所定の距離に組み立てられた型枠内にコンクリートを的確に打設することができる。なお、直線状のコンクリート配管１ｂを蛇腹状とすることで、コンクリート配管を取り替えることなくコンクリート配管継手４の中心軸から任意の距離にコンクリートを打設することができる。また、下端に吐出口８を有する直線状のコンクリート配管１ｄの長さを変更することで、コンクリートの打設高さを変更することができる。したがって、例えば、直線状のコンクリート配管１ｄについても、蛇腹状のコンクリート配管を用いることで打設高さを自由に変更することができる。更に、吐出口付近を若干湾曲させることで、吐出口から吐出されたコンクリートの落下速度を低減させることができる。
【００２４】
図２は、第１の実施形態に係るディストリビュータ３０を示す上面図である。上述したように、本実施形態に係るディストリビュータ３０は、コンクリート配管継手４を備える。これにより、コンクリート配管１の吐出口８は、コンクリート配管継手４の中心軸を基準として３６０度回転することができる。コンクリート配管１をコンクリート配管継手４の中心軸を基準として回転させるだけで、コンクリート配管継手４の周囲に形成された型枠２２内にコンクリート打設することができる。
【００２５】
次に、コンクリート配管６とコンクリート配管１との接続構造について説明する。図３は、コンクリート配管６とコンクリート配管１との接続付近の透視図である。図３に示すように、コンクリート配管６の出口部である上端部６ｅ１とコンクリート配管継手４の下部４ｂは、ボルトを用いて固定されている。一方、コンクリート配管１の入口部である下端部１ａ１とコンクリート配管継手４の上部４ａもボルトを用いて固定されている。そして、コンクリート配管継手４は、二重管構造となっており、外側の管４ｃと内側の管４ｄの間にはスチールボール９が埋め込まれている。これにより、二重管の上下への分離を防止するとともに、二重管が相対的に中心軸を基準として回動可能となっている。なお、第１の実施形態に係るコンクリート配管継手４には、株式会社昭和技研工業製の圧力屈折継手パールスイベルジョイントを用いた。
【００２６】
また、第１の実施形態に係るディストリビュータは、コンクリート配管１の入口部付近をコンクリート配管保持部３を用いて架台７に接続して保持している。コンクリート配管保持部３は、コンクリート配管１を中心軸を基準として回動自在に保持することができる。したがって、第二のコンクリート配管１を回動させる際の中心軸の振れを防止することができる。その結果、より安定的にコンクリートを打設することができる。なお、第１の実施形態に係るコンクリート配管保持部３には、株式会社ジェイテクト製プランマブロックを用いた。
【００２７】
（使用方法）
次に、第１の実施形態に係るディストリビュータ３０の使用方法について上述した構造物１００、すなわち中空橋脚を構築する場合について説明する。
【００２８】
まず、構造物１００の上部平面に架台１００を設置する。架台６に予めコンクリート配管保持部３等を接続しておいてもよいし、架台６を設置後にコンクリート配管保持部３等
を接続してもよい。なお、架台６の設置は、構造物１００を構成するＨ鋼材を建て込む際に、クレーン等を用いて設置すればよい。なお、コンクリート配管６は、構造物１００の高さに合わせて設計する。そして、コンクリート配管６の入口部は、コンクリート供給装置２００に接続し、出口部はコンクリート配管継手４の下部に接続する。また、コンクリート配管１も、構造物１００の径及び高さに合わせて設計する。すなわち、コンクリート配管１の入口部は、コンクリート配管継手４の上部に接続し、出口は下向きに形成された吐出口８とする。
【００２９】
次に、第一段目に組み立てられた型枠２２内にコンクリートを打設する。第１の実施形態に係る構造物１００は、中空橋脚であり、型枠２２も環状に形成されている。したがって、コンクリート配管１の吐出口８を中心軸を基準に３６０度回転させることで、環状に形成された型枠２２内にコンクリートを打設することができる。
【００３０】
第一段目の型枠２２へのコンクリート打設完了後、十分にコンクリートを養生する。その後、第一段目の型枠を解体し、第二段目の型枠を組み立てる。第二段目の型枠組み立て完了後、第一段目のコンクリート打設と同様にコンクリートを打設する。その際、第二のコンクリート配管１を構成するコンクリート配管のうち、吐出口８を有する直線状のコンクリート配管１ｄは、第一段目を打設する際に用いたコンクリート配管１ｄよりも短いものを用いて打設する。第二のコンクリート配管１の吐出口８を中心軸を基準に３６０度回転させることで、環状に形成された型枠２２内にコンクリート打設することができる。
【００３１】
第二段目の型枠２２へのコンクリート打設完了後、構造物１００の最上段に達するまで上記作業を繰り返す。全てのコンクリート打節作業が完了したら、架台６を構造物１００の上部平面から取り外し、作業を終了する。
【００３２】
以上説明したように、第一の実施形態に係るディストリビュータ３０は、非常に簡易な構成である。また、コンクリート配管１の吐出口８を中心軸を基準に３６０度回転させるだけで、コンクリート配管継手４の周囲に形成された型枠２２内へコンクリートを打設することができる。その結果、比較的背の高い橋脚等の構造物のコンクリートを打設する場合、従来に比べて作業員の負担を大幅に軽減することができる。また、コンクリート配管１の吐出口８は、構造物１００の上部平面から制御、すなわち誘導することができる。したがって、狭隘部による苦渋作業が軽減され、その結果コンクリート打設の効率が向上する。したがって、コンクリートの品質自体を向上させることも可能となる。
【００３３】
以上、本発明の好適な実施形態を説明したが、本発明に係るディストリビュータはこれらに限らず、可能な限りこれらの組合せを含むことができる。
【図面の簡単な説明】
【００３４】
【図１】第１の実施形態に係るディストリビュータ３０を示す側面図である。
【図２】第１の実施形態に係るディストリビュータ３０を示す上面図である。
【図３】コンクリート配管６とコンクリート配管１との接続付近の透視図である。
【符号の説明】
【００３５】
１、６・・・コンクリート配管
３・・・コンクリート配管保持部
４・・・コンクリート配管継手
７・・・架台
８・・・吐出口
９・・・スチールボール
２１・・・Ｈ鋼材
２２・・・型枠
１００・・・構造物
２００・・・コンクリート供給装置
【図１】
2007217906.tif 000003
【図２】
2007217906.tif 000004
【図３】
2007217906.tif 000005